(57)【要約】【課題】可動レンズを不用意に移動させても可動レンズが付勢部材から外れないようにする。【解決手段】ズーミングに連動してファインダー光軸方向に移動する複数の可動レンズ３，５と、該可動レンズのファインダー光軸と直交する方向の振れを防ぐために、該可動レンズをファインダー光軸と直交する方向に付勢する付勢部材１１とを有する変倍ファインダー装置において、前記可動レンズ間の移動領域内に位置し、前記可動レンズと当接することによって前記可動レンズの移動量を規制する移動量規制手段１１ｇを設けている。【選択図】図１
2006098739.tif 000002
【特許請求の範囲】
【請求項１】
ズーミングに連動してファインダー光軸方向に移動する複数の可動レンズと、該可動レンズのファインダー光軸と直交する方向の振れを防ぐために、該可動レンズをファインダー光軸と直交する方向に付勢する付勢部材とを有する変倍ファインダー装置において、
前記可動レンズ間の移動領域内に位置し、前記可動レンズと当接することによって前記可動レンズの移動量を規制する移動量規制手段を設けたことを特徴とする変倍ファインダー装置。
【請求項２】
前記付勢部材に前記移動量規制手段を一体に形成したことを特徴とする請求項１に記載の変倍ファインダー装置。
【請求項３】
前記付勢部材に、ファインダー光学系を構成する固定光学部材を保持する保持手段を一体に形成したことを特徴とする請求項１又は２に変倍ファインダー装置。
【請求項４】
前記可動レンズが前記移動量規制手段と当接するまでの移動量は、前記可動レンズがワイド端からテレ端まで移動する移動量より長く設定されていることを特徴とする請求項１ないし３のいずれかに記載の変倍ファインダー装置。
【請求項５】
前記可動レンズに接触する前記付勢部材の押圧部及び該押圧部に付勢力を付与する腕部は、ファインダー光軸を含む垂直平面を間に挟んだ両側の位置から前記垂直平面と直交する方向に平行に且つ逆方向に伸びていることを特徴とする請求項１ないし４のいずれかに記載の変倍ファインダー装置。
【請求項６】
ズーミングに連動してファインダー光軸方向に移動する複数の可動レンズと、該可動レンズのファインダー光軸と直交する方向の振れを防ぐために、該可動レンズをファインダー光軸と直交する方向に付勢する付勢部材とを有する変倍ファインダー装置において、
前記可動レンズとファインダー地板との間に位置し、前記可動レンズと当接することによって前記可動レンズの移動量を規制する移動量規制手段を設けたことを特徴とする変倍ファインダー装置。
【発明の詳細な説明】
【技術分野】
【０００１】
本発明は、ズーミングに連動してファインダーの変倍を行う変倍ファインダー装置に関するものである。
【背景技術】
【０００２】
撮影レンズのズーミングに連動してファインダーの変倍を行うために変倍ファインダー装置が用いられている。この変倍ファインダー装置としては、変倍機能を持つファインダー光学系を有し、ズーミングに連動してファインダー光学系中の変倍用の複数の可動レンズをカム機構等によってファインダー光軸方向に移動させてレンズ間隔を変動させる構成が一般的である。
【０００３】
このような変倍ファインダー装置は、ファインダー光軸方向に移動する可動レンズにファインダー光軸と直交する方向への振れが生じることなく、可動レンズがファインダー光軸に沿って正確かつ円滑に移動することが求められる。可動レンズに振れが生じると、ファインダーから観察される被写体の像に揺れが生じ、きわめて見づらくなる。そこで、このような像揺れを抑える技術として、ファインダー押さえ板にファインダー光軸方向に伸びる付勢部を設け、この付勢部を可動レンズに形成されたガイド片に当接させることで可動レンズの振れを防止するようにしたものがある（特許文献１参照）。
【特許文献１】特開平１１−２４１３２号公報
【発明の開示】
【発明が解決しようとする課題】
【０００４】
しかしながら、上記特許文献１に記載の可動レンズの振れ防止策では、可動レンズを駆動するカム板を組み込む前に可動レンズを不用意に移動させると、可動レンズのガイド片がファインダー押さえ板の付勢部から外れてしまう。この状態に気付かず、カム板を組み込んでしまうと、可動レンズの作動不良が発生する。また、上記の状態を修正するためには、可動レンズが収納されているファインダーケースのレンズ室から行わなくてはならないため、可動レンズに傷が付くといった問題が発生してしまう。また、付勢部を形成する腕部が同一方向に伸びているため、腕部の長さを同じにすることができないので、複数の可動レンズを付勢する付勢力が均等にならない。さらに、可動レンズ間隔が短くなる構成の変倍ファインダー装置には上記のような付勢方法は適応できないため、変倍ファインダー装置の小型化を図ることが困難になる。
【０００５】
（発明の目的）
本発明の第１の目的は、可動レンズを不用意に移動させても可動レンズが付勢部材から外れないようにすることができる変倍ファインダー装置を提供することである。
【０００６】
本発明の第２の目的は、上記第１の目的を達成すると共に、専用部品を少なくしてコスト低減化を図ることができる変倍ファインダー装置を提供することである。
【０００７】
本発明の第３の目的は、上記第１の目的を達成すると共に、可動レンズ間隔が短いファインダーにおいて大型化することなく各可動レンズへの付勢力を均等に設定することができる変倍ファインダー装置を提供することである。
【課題を解決するための手段】
【０００８】
上記第１の目的を達成するために、請求項１ないし５に記載の本発明は、ズーミングに連動してファインダー光軸方向に移動する複数の可動レンズと、該可動レンズのファインダー光軸と直交する方向の振れを防ぐために、該可動レンズをファインダー光軸と直交する方向に付勢する付勢部材とを有する変倍ファインダー装置において、前記可動レンズ間の移動領域内に位置し、前記可動レンズと当接することによって前記可動レンズの移動量を規制する移動量規制手段を設けたことを特徴とするものである。
【０００９】
上記第１の目的を達成するために、請求項６に記載の本発明は、ズーミングに連動してファインダー光軸方向に移動する複数の可動レンズと、該可動レンズのファインダー光軸と直交する方向の振れを防ぐために、該可動レンズをファインダー光軸と直交する方向に付勢する付勢部材とを有する変倍ファインダー装置において、前記可動レンズとファインダー地板との間に位置し、前記可動レンズと当接することによって前記可動レンズの移動量を規制する移動量規制手段を設けたことを特徴とするものである。
【００１０】
上記第２の目的を達成するために、請求項２に記載の本発明は、請求項１に記載の変倍ファインダー装置において、前記付勢部材に前記移動量規制手段を一体に形成したことを特徴とするものである。
【００１１】
上記第２の目的を達成するために、請求項３に記載の本発明は、請求項１又は２に記載の変倍ファインダー装置において、前記付勢部材に、ファインダー光学系を構成する固定光学部材を保持する保持手段を一体に形成したことを特徴とするものである。
【００１２】
上記第３の目的を達成するために、請求項５に記載の本発明は、請求項１ないし４のいずれかに記載の変倍ファインダー装置において、前記可動レンズに接触する前記付勢部材の押圧部及び該押圧部に付勢力を付与する腕部が、ファインダー光軸を含む垂直平面を間に挟んだ両側の位置から前記垂直平面と直交する方向に平行に且つ逆方向に伸びていることを特徴とするものである。
【発明の効果】
【００１３】
本発明によれば、可動レンズを不用意に移動させても可動レンズが付勢部材から外れないようにすることができる。
【００１４】
さらに、本発明によれば、専用部品を少なくしてコスト低減化を図ることができる。
【００１５】
また、さらに、本発明によれば、可動レンズ間隔が短いファインダーにおいて大型化することなく各可動レンズへの付勢力を均等に設定することができる。
【発明を実施するための最良の形態】
【００１６】
本発明を実施するための最良の形態は、後述する実施例１〜３に記載の通りである。
【実施例１】
【００１７】
図１ないし図１４は本発明の実施例１に係わる変倍ファインダー装置を示す図であり、詳しくは、図１は対物光学系ユニットの構成を示す分解斜視図、図２は対物光学系ユニットの片寄せ板バネ取り付け状態を示す断面図、図３は片寄せ板バネの上面図、図４はカム板の上面図、図５は対物光学系ユニットの、レンズ間スプリングにより第２の対物レンズが超ワイド側に移動した状態を示す部分上面図、図６は図５にて示した状態での部分側面図、図７は第２の対物レンズが移動規制部に当接した状態を示す部分上面図、図８は図７にて示した状態での部分側面図、図９は第３の対物レンズが移動規制部に当接した状態を示す部分上面図、図１０は図９にて示した状態での部分側面図、図１１は接眼光学系ユニットの構成を示す分解斜視図、図１２は対物光学系ユニットと接眼系光学ユニットの組み付け前の状態を示す上面図、図１３は図１２の状態から対物光学系ユニットと接眼系光学ユニットが組み付けられた状態を示す上面図、図１４はファインダーユニットの駆動メカ構成を示す分解斜視図である。
【００１８】
図１ないし図１０を用いて対物光学系ユニットの構成について説明する。図１において、１は第１のファインダー地板であり、第１の対物レンズ２、第２の対物レンズ３、第３の対物レンズ５、プリズム１０からなる対物光学系と、マスク４と、レンズ間スプリング６，７と、ガイドバー８，９と、片寄せ板バネ１１と、ファインダーカバー１２とが配置されている。この第１のファインダー地板１は、ファインダー光軸方向に移動可能な第２の対物レンズ３及び第３の対物レンズ５を収納するためにファインダー光軸方向に伸びる対物レンズ室１ａと、対物レンズ室１ａの前方（対物側）の前壁１ｃの中央部に設けられ、第１の対物レンズ２から射出した観察光が通過する開口部１ｄと、２本のガイドバー８，９を支持する孔１ｅ，１ｆと、対物レンズ室１ａの外側の両側面に形成され、片寄せ板バネ１１を係止する係止爪１ｇ、１ｈとを有する。また、プリズム１０を収納するプリズム室１ｂと、プリズム室１ｂの前方（対物側）の前壁１ｉの中央部に形成され、第３の対物レンズ５から射出した観察光が通過する開口部１ｌと、プリズム１０から射出した観察光が通過する開口部１ｍとを有する。
【００１９】
第１の対物レンズ２は、第１のファインダー地板１の開口部１ｄを覆うように第１のファインダー地板１の前壁１ｃに取り付けられ、ファインダーカバー１２に形成された２本の押圧部１２ａ，１２ｂのバネ力により第１のファインダー地板１に保持されている。
【００２０】
第２の対物レンズ３は、第１のファインダー地板１の対物レンズ室１ａ内に配置され、第２の対物レンズ３の下方両側に形成された軸受孔３ａ，３ｂがファインダー光軸と平行に取り付けられた２本のガイドバー８，９と摺動可能に嵌合することで、第１のファインダー地板１にファインダー光軸方向に移動可能に支持されている。この第２の対物レンズ３の軸受孔３ａ、３ｂの略中央部には、下方に向けて突出したカムフォロアー３ｃが一体に形成されており、カムフォロアー３ｃは図４に示すカム板２２に形成された第１のカム溝２２ａと摺動可能に係合している。また、第２の対物レンズ３のカムフォロアー３ｃと対向する上面部左側には、上方に向けて突出した凸部３ｄが一体に形成され、後述する片寄せ板バネ１１の押圧部１１ａが当接している。この第２の対物レンズ３の凸部３ｄの近傍で、且つ片寄せ板バネ１１の腕部１１ｅと第２の対物レンズ３との空間には、第２の対物レンズ３を成型するためのゲート３ｅが設けられている。
【００２１】
マスク４は、第１の対物レンズ２と第２の対物レンズ３の間に配置され、第２の対物レンズ３に取り付けられており、第２の対物レンズ３と一体でファインダー光軸方向に移動する。このマスク４の中央部には第１の対物レンズ２から射出した観察光が通過する開口部４ａが形成されている。
【００２２】
第３の対物レンズ５は、第１のファインダー地板１の対物レンズ室１ａ内に配置され、第３の対物レンズ５の下方両側に形成された軸受孔５ａ，５ｂがファインダー光軸と平行に取り付けられた２本のガイドバー８，９と嵌合することで、第１のファインダー地板１にファインダー光軸方向に移動可能に支持されている。この第３の対物レンズ５の軸受孔５ａ、５ｂの略中央部には、下方に向けて突出したカムフォロアー５ｃが一体に形成されており、カムフォロアー５ｃは図４に示すカム板２２に形成された第２のカム溝２２ｂと摺動可能に係合している。また、第３の対物レンズ５のカムフォロアー５ｃと対向し、第２の対物レンズ３の凸部３ｄと対向する上面部右側には、上方に向けて突出した凸部５ｄが一体に形成されており、後述する片寄せ板バネ１１の押圧部１１ｂが当接している。この第３の対物レンズ５の凸部５ｄの近傍で、且つ片寄せ板バネ１１の腕部１１ｆと第３の対物レンズ５との空間には、第３の対物レンズ５を成型するためのゲート５ｅが設けられている。なお、ゲート３ｅ，５ｅは金型に樹脂材料を注入するための注入口である。
【００２３】
レンズ間スプリング６，７は、第２の対物レンズ３と第３の対物レンズ５の間に配置され、第２の対物レンズ３の軸受孔３ａ，３ｂの外周と第３の対物レンズ５の軸受孔５ａ，５ｂの外周に嵌合している。このレンズ間スプリング６，７のスプリング力により、第２の対物レンズ３のカムフォロアー３ｃはカム板２２の第１のカム溝２２ａのカム側面に確実に当接させ、また第３の対物レンズ５のカムフォロアー５ｃはカム板２２の第２のカム溝２２ｂのカム側面に確実に当接させて、第２の対物レンズ３と第３の対物レンズ５のレンズ間隔を保証している。
【００２４】
ガイドバー８，９は、ファインダー光軸と平行に、且つ第１のファインダー地板１の対物レンズ室１ａ内に配置され、一端が第１のファインダー地板１の前壁１ｃの孔１ｅ、１ｆに、他端が第１のファインダー地板１のプリズム室１ｂの前壁１ｉの孔１ｊ、１ｋに嵌合することで、第１のファインダー地板１に支持されると共に、ガイドバー８，９に摺動可能に嵌合している第２の対物レンズ３と第３の対物レンズ５も同様に第１のファインダー地板１に支持されている。
【００２５】
プリズム１０は、第１のファインダー地板１のプリズム室１ｂ内に収納され、ファインダーカバー１２に形成された押圧部１２ｃのバネ力により第１のファインダー地板１に保持されている。このプリズム１０は、第３の対物レンズ５から射出した観察光をプリズム１０の入射面１０ａからプリズム１０内に入射し、入射した観察光をプリズム１０の射出面１０ｂから射出し、後述するダハプリズム１４の入射面１４ａに導いている。
【００２６】
片寄せ板バネ１１は、第１のファインダー地板１の対物レンズ室１ａの上面に配置され、第２の対物レンズ３と第３の対物レンズ５の作動確認後、図２に示すように、片寄せ板バネ１１に形成された下方に向けて伸びる係止部１１ｃが第１のファインダー地板１の係止爪１ｇに係止され、また片寄せ板バネ１１の係止部１１ｃと対向する位置に形成された下方に向けて伸びる係止部１１ｄが第１のファインダー地板１の係止爪１ｈに係止されることで、第１のファインダー地板１に保持される。この片寄せバネ１１には、第２の対物レンズ３の凸部３ｄと当接し、第２の対物レンズ３をファインダー光軸と直交する方向に押圧するファインダー光軸と平行に伸びる押圧部１１ａと、図２に示すように、第３の対物レンズ５の凸部５ｄと当接し、第３の対物レンズ５をファインダー光軸と直交する方向に押圧するファインダー光軸と平行に伸びる押圧部１１ｂが形成されている。
【００２７】
すなわち、片寄せ板バネ１１の押圧部１１ａにより第２の対物レンズ３の軸受孔３ａ，３ｂと２本のガイドバー８，９との嵌合ガタを吸収し、第２の対物レンズ３がファインダー光軸方向に移動する際の像揺れを防止することができる。また、片寄せ板バネ１１の押圧部１１ｂにより第３の対物レンズ５の軸受孔５ａ，５ｂと２本のガイドバー８，９との嵌合ガタを吸収し、第３の対物レンズ５がファインダー光軸方向に移動する際の像揺れを防止することができる。
【００２８】
この片寄せ板バネ１１の押圧部１１ａのファインダー光軸方向の長さＬ１（図３参照）は、図４に示すカム板２２のカム溝２２ａに沿ってワイド端Ｐ１からテレ端Ｐ２に移動するまでの距離Ｌ４より長く設定されている。また、片寄せ板バネ１１の押圧部１１ｂのファインダー光軸方向の長さＬ２（図３参照）は、図４に示すカム板２２のカム溝２２ｂに沿ってワイド端Ｐ３からテレ端Ｐ４に移動するまでの距離Ｌ３より長く設定されている。
【００２９】
すなわち、第２の対物レンズ３が図４に示すカム板２２のカム溝２２ａに沿ってのワイド端Ｐ１からテレ端Ｐ２に移動しても第２の対物レンズ３の凸部３ｄが片寄せ板バネ１１の押圧部１１ａから外れないようにすることができる。また、第３の対物レンズ５が図４に示すカム板２２のカム溝２２ｂに沿ってワイド端Ｐ３からテレ端Ｐ４に移動しても第３の対物レンズ５の凸部５ｄが片寄せ板バネ１１の押圧部１１ｂから外れないようにすることができる。
【００３０】
片寄せ板バネ１１の押圧部１１ａに連結して付勢力を付与する腕部１１ｅと、片寄せ板バネ１１の押圧部１１ｂに連結して付勢力を付与する腕部１１ｆは、ファインダー光軸を含む垂直平面を間に挟んだ両側の位置から前記垂直平面と直交する方向に平行に且つ逆方向に伸びており、片寄せ板バネ１１の腕部１１ｅの長さＬ５と、片寄せ板バネ１１の腕部１１ｆの長さＬ６を略等しくなっている。
【００３１】
すなわち、片寄せ板バネ１１の腕部１１ｅと、片寄せ板バネ１１の腕部１１ｆをファインダー光軸を含む垂直平面を間に挟んだ両側の位置から伸ばすことで、第２の対物レンズ３と第３の対物レンズ５の間隔が短い構成のファインダーユニットでも、ファインダーユニットを大型化することなく、第２の対物レンズ３の押圧力と第３の対物レンズ５の押圧力を同等に設定することができる。更に、片寄せ板バネ１１の腕部１１ｅと第２の対物レンズ３との空間に第２の対物レンズ３のゲート３ｅを設けることができ、また、片寄せ板バネ１１の腕部１１ｆと第３の対物レンズ５との空間に第３の対物レンズ５のゲート５ｅを設けることができるので、ファインダーユニットの小型化を図ることができる。
【００３２】
つまり、ゲート３ｅ，５ｅが凸部３ｄ，５ｄと同じ高さで対物レンズ３，５の上面部に形成されているので、ゲート３ｅ，５ｅを設けるために対物レンズ３，５の高さ方向の寸法を大きくする必要がないからである。例えば、ファインダー光軸中心上に凸部３ｄ，５ｄを形成すると、対物レンズ３，５の上面部にゲート３ｅ，５ｅを設けることができなくなり、側面部に設けることになってしまい、第１のファインダー地板１の側面のゲート３ｅ，５ｅと対応した位置にゲート逃げが必要となり、ゲート逃げ分幅方向に大型化してしまう。
【００３３】
片寄せ板バネ１１の係止部１１ｃの延長上には、下方に向けて伸び、図２に示すように第１のファインダー地板１の対物レンズ室１ａ内に進入し、更に第２の対物レンズ３と第３の対物レンズ５が移動する移動領域内に進入し、第２の対物レンズ３と第３の対物レンズ５の移動量を規制する先端がコの字形状した移動量規制部１１ｇが一体に形成されている。この移動量規制部１１ｇは、図６に示すようにファインダー光軸方向に移動する第２の対物レンズ３と第３の対物レンズ５との間に配置されており、第２の対物レンズ３が移動量規制部１１ｇの前方端部１１ｈと当接するまでの移動量Ｌ７は、図４に示すカム板２２のカム溝２２ａに沿ってワイド端Ｐ１からテレ端Ｐ２に移動するまでの距離Ｌ４より長く設定されている。また、第３の対物レンズ５が移動量規制部１１ｇの後方端部１１ｉと当接するまでの移動量Ｌ８は、図４に示すカム板２２のカム溝２２ｂに沿ってワイド端Ｐ３からテレ端Ｐ４に移動するまでの距離Ｌ３より長く設定されている。この移動量規制部１１ｇを、図１８に示すように移動規制板３０として個別部品で構成しても構わない。
【００３４】
すなわち、対物光学系ユニットがカム板２２に組み付けられていない状態で、図５及び図６の状態から第２の対物レンズ３を図７及び図８に示すように強制的に第３の対物レンズ５の方向に移動させた時、第２の対物レンズ３が図８に示すように移動量規制部１１ｇの前方端部１１ｈと当接するため、第２の対物レンズ３の凸部３ｄは図７に示すように片寄せ板バネ１１の押圧部１１ａから外れないようにすることができる。また、図７及び図８に示す状態から第２の対物レンズ３がフリー状態になると、チャージされたレンズ間スプリング６，７のスプリング力により、第２の対物レンズ３は第３の対物レンズ５から離れる方向に移動し、図５及び図６に示す状態に戻る。また、図５及び図６の状態から第３の対物レンズ５を図９及び図１０に示すように、強制的に第２の対物レンズ３の方向に移動させた時、第３の対物レンズ５が図１０に示すように移動量規制部１１ｇの後方端部１１ｉと当接するため、第３の対物レンズ５の凸部５ｄは図９に示すように片寄せ板バネ１１の押圧部１１ｂから外れないようにすることができる。また、図９及び図１０に示す状態から第３の対物レンズ５がフリー状態になると、チャージされたレンズ間スプリング６，７のスプリング力により、第３の対物レンズ５は第２の対物レンズ３から離れる方向に移動し、図５及び図６に示す状態に戻る。
【００３５】
ファインダーカバー１２は、第１のファインダー地板１の対物レンズ室１ａとプリズム室１ｂを覆うと共に、第１の対物レンズ２をファインダー光軸方向に押す２本の押圧部１２ａ，１２ｂと、プリズム１０をファインダー光軸と直交する方向に押す押圧部１２ｃとを有しており、第１のファインダー地板１の上面部に配置され、第１のファインダー地板１に係止される。これによって、ファインダーカバー１２の２本の押圧部１２ａ，１２ｂと押圧部１２ｃがチャージされ、バネ力が発生する。このバネ力を利用して第１の対物レンズ２とプリズム１０が第１のファインダー地板１に保持されている。
【００３６】
図１１を用いて接眼光学系ユニットの構成について説明する。図１１において、１３は第２のファインダー地板であり、接眼光学系を構成するダハプリズム１４と接眼レンズ１５、及び視野枠１６と接眼レンズ押さえ板１７が配置されるものである。この第２のファインダー地板１３には、ダハプリズム１４を収納するダハプリズム室１３ａと、ダハプリズム室１３ａの後方（接眼側）の後壁１３ｂの中央部に形成され、ダハプリズム１４の射出面１４ｂから射出した観察光が通過する開口部１３ｃと、接眼レンズ押さえ板１７を係止する係止爪１３ｄ，１３ｅと、第１のファインダー地板１に係止される係止爪１３ｆ，１３ｇ，１３ｈ，１３ｉとが形成されている。
【００３７】
ダハプリズム１４は、第２のファインダー地板１３のダハプリズム室１３ａ内に収納され、接着により第２のファインダー地板１３に保持されている。このダハプリズム１４は、プリズム１０の射出面１０ｂから射出した観察光をダハプリズム１４の入射面１４ａからダハプリズム１４内に入射させ、ダハ部により上下像を反転させてダハプリズム１４の射出面１４ｂに導いている。
【００３８】
接眼レンズ１５は、第２のファインダー地板１３の開口部１３ｃを覆うように第２のファインダー地板１３の後壁１３ｂに取り付けられ、接眼レンズ押さえ板１７に形成された２本の押圧部１７ａ，１７ｂのバネ力により第２のファインダー地板１３に保持されている。
【００３９】
視野枠１６は、ファインダー光学系の視野範囲を表示する長方形状をした視野表示開口部１６ａを有しており、プリズム１０とダハプリズム１４との間に配置され、接着により第１のファインダー地板１に保持されている。
【００４０】
接眼レンズ押さえ板１７は、接眼レンズ１５をファインダー光軸方向に押す２本の押圧部１７ａ，１７ｂを有しており、接眼レンズ押さえ板１７の切り欠き部１７ｃ，１７ｄを第２のファインダー地板１３の係止爪１３ｄ，１３ｅに係止する。これによって、接眼レンズ押さえ板１７の２本の押圧部１７ａ，１７ｂがチャージされ、バネ力が発生する。このバネ力を利用して接眼レンズ１５が第２のファインダー地板１３に保持されている。
【００４１】
図１２及び図１３を用いて対物光学系ユニットと接眼光学系ユニットの組み付け構造について説明する。図１２及び図１３において、１８は対物光学系ユニット、１９は接眼光学系ユニットである。接眼光学系ユニット１９を構成する第２のファインダー地板１３の係止爪１３ｆ，１３ｇ，１３ｈ，１３ｉが対物光学系ユニット１８を構成する第１のファインダー地板１の係止爪１ｎ，１ｏ，１ｐ，１ｑにそれぞれ係止されることで、図１３に示すように、接眼光学系ユニット１９は対物光学系ユニット１８に支持される。これにより、ファインダーとしての機能が成立し、第１の対物レンズ２から入射した観察光を接眼レンズ１５で覗くことができる。
【００４２】
図１４を用いてファインダーユニットの駆動メカ構成について説明する。図１４において、２０はファインダーユニット、２１は鏡筒ユニット、２２はカム板、２６は駆動ユニットである。ファインダーユニット２０がカム板２２の上面に配置されることで、第２の対物レンズ３のカムフォロアー３ｃがカム板２２に形成されたカム溝２２ａに摺動可能に係合し、また、第３の対物レンズ５のカムフォロアー５ｃがカム板２２に形成されたカム溝２２ｂに摺動可能に係合しており、カム板２２の回転により第２の対物レンズ３と第３の対物レンズ５がファインダー光軸方向に進退移動する。このファインダーユニット２０は、ビス２５により鏡筒ユニット２１に固定されている。
【００４３】
カム板２２は、鏡筒ユニット２１を構成する固定筒２７の外周の上面部に配置され、カム板２２に形成された駆動部２２ｅが固定筒２７に形成された孔２７ａを貫通し、不図示の撮影光学系を撮影光軸方向に移動させるカム筒２８と当接することで、カム筒２８に追従して回転するようになっている。このカム板２２は、スプリング２３，２４により時計方向に付勢されている。
【００４４】
スプリング２３，２４の一端はカム板２２に形成されたフック２２ｃ，２２ｄに、他方は固定筒２７に形成されたフック２７ｂ（もう一方は不図示）に掛けられている。
【００４５】
ここでファインダー変倍動作を簡単に説明する。ファインダーをテレ方向に移動させる場合、不図示のズーム切換スイッチを切り換えることで駆動ユニット２６が駆動される。この駆動によりカム筒２８は固定筒２７の内周に形成されたカムのリードに沿って反時計方向に回転しながら撮影光軸方向に繰り出される。このカム筒２８の回転に追従してカム板２２も同様に反時計方向にスプリング２３，２４をチャージしながら回転する。このカム板２２の回転により第２の対物レンズ３は図４に示すカム板２２のカム溝２２ａに沿ってワイド端Ｐ１からテレ端Ｐ２に移動し、第３の対物レンズ５は図４に示すカム板２２のカム溝２２ｂに沿ってワイド端Ｐ３からテレ端Ｐ４に移動する。この移動によりファインダーがテレ方向に変倍される。また、ファインダーをワイド方向に移動させる場合、不図示のズーム切換スイッチを切り換えることで駆動ユニット２６が駆動される。この駆動によりカム筒２８は固定筒２７の内周に形成されたカムのリードに沿って時計方向に回転しながら撮影光軸方向に繰り込まれる。このカム筒２８の回転に追従してカム板２２はスプリング２３，２４のチャージ力によりカム筒２８と同様に時計方向に回転する。このカム板２２の回転により第２の対物レンズ３は図４に示すカム板２２のカム溝２２ａに沿ってテレ端Ｐ２からワイド端Ｐ１に移動し、第３の対物レンズ５は図４に示すカム板２２のカム溝２２ｂに沿ってテレ端Ｐ４からワイド端Ｐ３に移動する。この移動によりファインダーがワイド方向に変倍される。
【００４６】
本実施例１によれば、片寄せ板バネ１１の押圧部１１ａ及び腕部１１ｅと、押圧部１１ｂ及び腕部１１ｆとを、ファインダー光軸を含む垂直平面を間に挟んだ両側の位置から前記垂直平面と直交する方向に平行に且つ逆方向に伸ばすことで、ファインダー光軸方向に進退移動する第２の対物レンズ３と第３の対物レンズ５の間隔が短い構成のファインダーユニットでも、ファインダーユニットを大型化することなく第２の対物レンズ３への押圧力と第３の対物レンズ５への押圧力を同等に設定することができる。また、片寄せ板バネ１１の腕部１１ｅと第２の対物レンズ３との空間に第２の対物レンズ３のゲート３ｅを設けることができ、片寄せ板バネ１１の腕部１１ｆと第３の対物レンズ５との空間に第３の対物レンズ５のゲート５ｅを設けることができるので、ファインダーユニットの小型化を図ることができる。
【００４７】
更に、片寄せ板バネ１１に第２の対物レンズ３と第３の対物レンズ５が進退移動する移動領域内に進入する移動量規制部１１ｇを形成することで、第２の対物レンズ３は第３の対物レンズ５の方向に強制的に移動させても第２の対物レンズ３の凸部３ｄは片寄せ板バネ１１の押圧部１１ａから外れないので、第２の対物レンズ３の作動不良を防止することができる。また、第３の対物レンズ５は第２の対物レンズ３の方向に強制的に移動させても第３の対物レンズ５の凸部５ｄは片寄せ板バネ１１の押圧部１１ｂから外れないので、第３の対物レンズ５の作動不良を防止することができる。そして、片寄せ板バネ１１に移動量規制部１１ｇを一体に形成しているので、専用部品を少なくしてコスト低減化を図ることができる。
【実施例２】
【００４８】
図１５及び図１６は本発明の実施例２に係わるファインダー装置を示す図であり、機械的構造は前記実施例１のものと同じであるから、実施例１に示した構造要素と同じものは図１５及び図１６においても図１ないし図１４と同じ符号で示し、これらの構造要素についてはその説明を省略する。また、本発明の実施例２における動作で、前記実施例１と同じ部分についてはその説明も省略する。
【００４９】
図１５は実施例２における対物光学系ユニットの構成を示す分解斜視図、図２は同じ対物光学系ユニットのプリズム押圧状態を示す側面図である。
【００５０】
図１５及びし図１６において、前記実施例１と異なる構成は、片寄せ板バネ１１に押圧部１１ｊが形成されていることのみである。この片寄せ板バネ１１の押圧部１１ｊは、ファインダーカバー１２の押圧部１２ｃと同様、プリズム１０をファインダー光軸と直交する方向に押し、第１のファインダー地板１に保持するものである。この押圧部１１ｊは、第１の対物レンズ２を交換してファインダー視度調整を行う際、第１の対物レンズ２を保持しているファインダーカバー１２を第１のファインダー地板１から取り外す必要がある。それに伴いプリズム１０がフリー状態となり、ファインダー光軸と直交する方向への移動、または第１のファインダー地板１に対しての傾きが発生し、正確に視度調整ができなくなる。また、組立工程においてプリズム１０が落下して組立不良が発生するのを防ぐために、調整工程及び組立工程において、図１６に示すようにプリズム１０をファインダー光軸と直交する方向に押している。
【００５１】
なお、図１５において、片寄せ板バネ１１は、図１８に示すように移動量規制板３０が後付けされるものとして示されている。
【００５２】
また、本実施例２において、ファインダーカバー１２と片寄せ板バネ１１にプリズム１０を押す押圧部１２ｃと押圧部１１ｊが形成されているが、片寄せ板バネ１１にのみ押圧部を一体に形成しても構わない。
【００５３】
本実施例２によれば、片寄せ板バネ１１にプリズム１０をファインダー光軸と直交する方向に押す押圧部１１ｊを形成することで、視度調整を行う際、プリズム１０を第１のファインダー地板１に保持することができるので、ファインダー光軸と直交する方向の移動、及び第１のファインダー地板１に対しての傾きがなくなり、正確に視度調整することができる。また、片寄せ板バネ１１にのみに押圧部１１ｊを形成することでファインダーカバー１２の押圧部１２ｃが不要となるので、押圧部１２ｃを形成するための孔がなくなり、ファインダーカバー１２を第１のファインダー地板１に組み込んだ後、プリズム１０にゴミ等の異物の侵入を防止することができる。
【実施例３】
【００５４】
図１７は本発明の実施例３に係わるファインダー装置を示す図であり、機械的構造は前記実施例１のものと同じであるから、実施例１及び実施例２に示した構造要素と同じものは図１７においても図１ないし図１６と同じ符号で示し、これらの構造要素についてはその説明を省略する。また、本発明の実施例３における動作で、前記実施例１及び実施例２と同じ部分についてはその説明も省略する。
【００５５】
図１７は実施例３における対物光学系ユニットの構成を示す分解斜視図である。
【００５６】
図１７において、前記実施例１及び実施例２と異なる構成は、片寄せ板バネ１１に第２の対物レンズ３と第３の対物レンズ５のファインダー光軸方向の移動量を規制する移動量規制部１１ｇとプリズム１０をファインダー光軸と直交する方向に押す押圧部１１ｊが一体に形成されていることのみである。
【００５７】
本実施例３によれば、一つの部品（片寄せ板バネ１１）で実施例１及び実施例２と同様の結果を得ることができる。
【００５８】
実施例１〜３においては、可動レンズが第２の対物レンズ３と第３の対物レンズ５である場合が示されているが、本発明は可動レンズがひとつの場合にも成立する。この場合、移動量規制手段の位置は可動レンズと固定光学部材（プリズム１０）との間となるが、固定光学部材がない場合などでは、可動レンズとファインダー地板との間となる。
【図面の簡単な説明】
【００５９】
【図１】本発明の実施例１における対物光学系ユニットの構成を示す分解斜視図である。
【図２】本発明の実施例１における対物光学系ユニットの片寄せ板バネ取り付け状態を示す断面図である。
【図３】本発明の実施例１における片寄せ板バネの上面図である。
【図４】本発明の実施例１におけるカム板の上面図である。
【図５】本発明の実施例１における対物光学系ユニットの、レンズ間スプリングにより対物レンズが超ワイド側に移動した状態を示す部分上面図である。
【図６】図５にて示した状態での部分側面図である。
【図７】本発明の実施例１における対物光学系ユニットの、第２の対物レンズが移動規制部に当接した状態を示す部分上面図である。
【図８】図７にて示した状態での部分側面図である。
【図９】本発明の実施例１における対物光学系ユニットの、第３の対物レンズが移動規制部に当接した状態を示す部分上面図である。
【図１０】図９にて示した状態での部分側面図である。
【図１１】本発明の実施例１における接眼光学系ユニットの構成を示す分解斜視図である。
【図１２】本発明の実施例１における対物光学系ユニットと接眼光学系ユニットの組み付け前の状態を示す上面図である。
【図１３】本発明の実施例１において対物光学系ユニットと接眼光学系ユニットが組みつけられた状態を示す上面図である。
【図１４】本発明の実施例１におけるファインダーユニットの駆動メカ構成を示す分解斜視図である。
【図１５】本発明の実施例２における対物光学系ユニットの構成を示す分解斜視図である。
【図１６】本発明の実施例２における対物光学系ユニットのプリズム押圧状態を示す側面図である。
【図１７】本発明の実施例３における対物光学系ユニットの構成を示す分解斜視図である。
【図１８】本発明の実施例１の変形例における対物光学系ユニットの構成を示す分解斜視図である。
【符号の説明】
【００６０】
１      第１のファインダー地板
１ａ    対物レンズ室
２      第１の対物レンズ（固定レンズ）
３      第２の対物レンズ（可動レンズ）
３ａ，３ｂ，５ａ，５ｂ    軸受孔
３ｃ，５ｃ    カムフォロアー
３ｄ，５ｄ    凸部
５      第３の対物レンズ（可動レンズ）
８，９  ガイドバー
１０    プリズム（固定光学部材）
１１    片寄せ板バネ（付勢部材）
１１ａ，１１ｂ    押圧部
１１ｅ，１１ｆ    腕部
１１ｇ  移動量規制部（移動量規制手段）
１１ｈ  前方端部
１１ｉ  後方端部
１１ｊ  押圧部（保持手段）
１２    ファインダーカバー
１８    対物光学系ユニット
１９    接眼光学系ユニット
２０    ファインダーユニット
２２    カム板
２２ａ  第１のカム溝
２２ｂ  第２のカム溝
３０    移動量規制板（移動量規制手段）
【図１】
2006098739.tif 000003
【図２】
2006098739.tif 000004
【図３】
2006098739.tif 000005
【図４】
2006098739.tif 000006
【図５】
2006098739.tif 000007
【図６】
2006098739.tif 000008
【図７】
2006098739.tif 000009
【図８】
2006098739.tif 000010
【図９】
2006098739.tif 000011
【図１０】
2006098739.tif 000012
【図１１】
2006098739.tif 000013
【図１２】
2006098739.tif 000014
【図１３】
2006098739.tif 000015
【図１４】
2006098739.tif 000016
【図１５】
2006098739.tif 000017
【図１６】
2006098739.tif 000018
【図１７】
2006098739.tif 000019
【図１８】
2006098739.tif 000020